(57)【要約】【課題】  高速な連続撮影を行う場合に主要被写体に焦点が合う画像データを取得する。【解決手段】  被写体を検出する被写体検出部と、被写体検出部による被写体検出の結果に基づいて、撮像素子から連続して出力される画像のそれぞれから切り出す領域を対象領域として設定する設定部と、撮像素子から連続して出力される画像のそれぞれから切り出した対象領域の画像に対して圧縮処理を行う圧縮部と、圧縮処理された対象領域の画像のデータ量の変化に基づいて、撮像素子上へ被写体像を形成する撮像光学系のフォーカスポジションを制御する制御部と、を備えたことを特徴とする。【選択図】    図１
2013134403.tif 000002
【特許請求の範囲】
【請求項１】
被写体を検出する被写体検出部と、
前記被写体検出部による被写体検出の結果に基づいて、撮像素子から連続して出力される画像のそれぞれから切り出す領域を対象領域として設定する設定部と、
前記撮像素子から連続して出力される画像のそれぞれから切り出した前記対象領域の画像に対して圧縮処理を行う圧縮部と、
前記圧縮処理された前記対象領域の画像のデータ量の変化に基づいて、前記撮像素子上へ被写体像を形成する撮像光学系のフォーカスポジションを制御する制御部と、
を備えたことを特徴とする焦点調節装置。
【請求項２】
請求項１に記載の焦点調節装置において、
前記設定部は、前記被写体検出部により複数の被写体が検出されたときに、前記複数の被写体のうち、最も大きい被写体の領域を前記対象領域として設定することを特徴とする焦点調節装置。
【請求項３】
請求項１に記載の焦点調節装置において、
画像取得時の撮像範囲に配置される複数の焦点検出エリアを用いて、前記撮像光学系の焦点状態を検出する焦点検出部を備え、
前記設定部は、前記焦点検出部により複数の被写体が検出されたときに、前記複数の被写体のうち、前記焦点検出エリアに重畳される被写体が含まれる領域を前記対象領域として設定することを特徴とする焦点調節装置。
【請求項４】
請求項１に記載の焦点調節装置において、
画像取得時の撮像範囲に配置される複数の焦点検出エリアを用いて、前記撮像光学系の焦点状態を検出する焦点検出部を備え、
前記設定部は、前記被写体検出部により被写体が検出されないときに、前記複数の焦点検出エリアのうち、焦点が合う焦点検出エリアが含まれる領域を前記対象領域として設定することを特徴とする焦点調節装置。
【請求項５】
請求項１に記載の焦点調節装置において、
前記設定部は、前記撮像素子から連続して出力される画像を複数の領域に分割し、
前記設定部は、前記被写体検出の結果に基づいて、前記複数の領域のいずれかの領域を前記対象領域として設定することを特徴とする焦点調節装置。
【請求項６】
請求項１に記載の焦点調節装置において、
前記被写体検出部は、画像に含まれる人物の顔を被写体として検出することを特徴とする焦点調節装置。
【請求項７】
請求項１に記載の焦点調節装置において、
前記制御部は、ユーザからの指示に従って前記フォーカスポジションの初期調節を行うことを特徴とする焦点調節装置。
【請求項８】
請求項７に記載の焦点検出装置において、
前記制御部は、位相差検出方式により前記フォーカスポジションの初期調節を行うことを特徴とする焦点調節装置。
【請求項９】
請求項１に記載の焦点検出装置において、
前記制御部は、前記データ量の変化量が基準範囲を超過したときに、前記フォーカスボジションを変位させることを特徴とする焦点調節装置。
【請求項１０】
撮像光学系が形成する被写体像を連続して撮像し、画像を順次出力する撮像素子と、
前記撮像素子から順次出力される画像に基づいて、前記撮像光学系のフォーカスポジションを制御する、請求項１から請求項９のいずれか１項に記載の焦点調節装置と、
を備えたことを特徴とする撮像装置。
【発明の詳細な説明】
【技術分野】
【０００１】
本発明は、焦点調節装置及び撮像装置に関する。
【背景技術】
【０００２】
デジタルカメラに搭載されるオートフォーカス（ＡＦ）制御として、位相差検出方式やコントラスト検出方式のフォーカス制御が挙げられる。このようなＡＦ制御を搭載したデジタルカメラにおいて、高速な連続撮影を実行させることも考案されている。
【先行技術文献】
【特許文献】
【０００３】
【特許文献１】特開２００６−２０１２８２号公報
【発明の概要】
【発明が解決しようとする課題】
【０００４】
高速な連続撮影では撮影間でのＡＦ制御が難しいことから、連続撮影の開始時に調節されたフォーカスポジションを固定した撮影が行われる。しかしながら、連続撮影の開始時に主要被写体に焦点を合わせたフォーカス調節を行っていても、連続撮影の過程で主要被写体に焦点が合わなくなる場合が想定され、その結果、主要被写体に焦点が合わない画像データが取得されてしまう恐れが生じる。
【０００５】
本発明は、高速な連続撮影を行う場合に主要被写体に焦点が合う画像データを取得することができるようにした焦点調節装置及び撮像装置を提供することを目的とする。
【課題を解決するための手段】
【０００６】
本発明の焦点調節装置は、被写体を検出する被写体検出部と、前記被写体検出部による被写体検出の結果に基づいて、撮像素子から連続して出力される画像のそれぞれから切り出す領域を対象領域として設定する設定部と、前記撮像素子から連続して出力される画像のそれぞれから切り出した前記対象領域の画像に対して圧縮処理を行う圧縮部と、前記圧縮処理された前記対象領域の画像のデータ量の変化に基づいて、前記撮像素子上へ被写体像を形成する撮像光学系のフォーカスポジションを制御する制御部と、を備えたことを特徴とする。
【０００７】
また、本発明の撮像装置は、撮像光学系が形成する被写体像を連続して撮像し、画像を順次出力する撮像素子と、前記撮像素子から順次出力される画像に基づいて、前記撮像光学系のフォーカスポジションを制御する焦点調節装置と、を備えたことを特徴とする。
【発明の効果】
【０００８】
本発明によれば、高速な連続撮影を行う場合に主要被写体に焦点が合う画像データを取得することができる。
【図面の簡単な説明】
【０００９】
【図１】本発明のデジタルカメラの構成を示す機能ブロック図である。
【図２】（ａ）顔領域の大きさが１つの分割領域の大きさよりも小さく且つ顔領域が１つの分割領域内に収まる場合に設定される比較対象領域を示す図、（ｂ）顔領域の大きさが１つの分割領域の大きさよりも小さく且つ顔領域が複数の分割領域に跨る場合に設定される比較対象領域を示す図、（ｃ）顔領域の大きさが１つの分割領域の大きさよりも大きい場合に設定される比較対象領域を示す図である。
【図３】（ａ）複数の顔領域のうち、最も大きい顔領域を選択した場合に設定される比較対象領域を示す図、（ｂ）複数の顔領域のうち、ＡＦエリアに重畳される顔領域を選択した場合に設定される比較対象領域を示す図である。
【図４】（ａ）焦点が合うＡＦエリアが１つで、且つ該ＡＦエリアが１つの分割領域内に収まる場合に設定される比較対象領域を示す図、（ａ）焦点が合うＡＦエリアが１つで、且つ該ＡＦエリアが複数の分割領域に跨る場合に設定される比較対象領域を示す図である。
【図５】（ａ）焦点が合う複数のＡＦエリアが１つの分割領域内に収まる場合に設定される比較対象領域を示す図、（ｂ）焦点が合う複数のＡＦエリアが隣接する複数の分割領域に跨る場合に設定される比較対象領域を示す図、（ｃ）焦点が合う複数のＡＦエリアが離散する分割領域のそれぞれに収まる場合に設定される比較対象領域を示す図である。
【図６】連続撮影における一連の処理の流れを示すフローチャートである。
【図７】連続撮影における一連の処理の流れを示すフローチャートである。
【図８】連続撮影における一連の処理の流れを示すフローチャートである。
【発明を実施するための形態】
【００１０】
以下、本発明の実施形態としてデジタルカメラ１０を例に説明する。本発明のデジタルカメラ１０は、１回の撮像処理により静止画像を取得する静止画撮影の他、撮像処理を連続して行うことにより複数の静止画像を取得する連続撮影を行うことが可能である。この連続撮影は、例えば３０コマ／秒、５０コマ／秒、６０コマ／秒など高速な連続撮影を行うことができる。
【００１１】
図１に示すように、デジタルカメラ１０は、撮像光学系１５、クイックリターンミラー１６、メカニカルシャッタ１７、撮像素子１８、アナログフロントエンド（ＡＦＥ）回路１９、タイミングジェネレータ（ＴＧ）２０、レンズ駆動機構２１、シャッタ駆動機構２２、バッファメモリ２５、画像処理回路２６、圧縮／伸長回路２７、表示制御回路２８、表示装置２９、接続用Ｉ／Ｆ３０、ＣＰＵ４０、不揮発性メモリ４１、ワークメモリ４２、焦点検出部４３、レリーズボタン４４、操作部４５などを備えている。ＡＦＥ回路１９、バッファメモリ２５、画像処理回路２６、圧縮／伸長回路２７、表示制御回路２８、接続用Ｉ／Ｆ３０、ＣＰＵ４０は、バス４６を介して電気的に接続される。
【００１２】
撮像光学系１５は、被写界光束を結像し、撮像素子１８の撮像面近傍に被写界像を形成する。図１においては、撮像光学系１５として単一のレンズとして記載しているが、実際には、フォーカシングレンズを備えた複数のレンズから構成される。このフォーカシングレンズは、レンズ駆動機構２１を介して光軸方向に移動される。フォーカシングレンズを光軸方向に移動させることで、フォーカス制御が実行される。
【００１３】
また、撮像光学系１５は、不図示の絞りを備えている。この絞りは、ＣＰＵ４０により設定されるＡｖ値に応じて、絞り径が調整される。このＡｖ値は、ユーザが入力した値であってもよいし、自動露出演算により算出された値であってもよい。
【００１４】
クイックリターンミラー１６は、撮像光学系１５と撮像素子１８との間の被写界光束の光路上に配置される。このクイックリターンミラー１６は、ミラーダウン状態と、ミラーアップ状態との間で切り替えられる。クイックリターンミラー１６がミラーダウン状態の場合、被写体光束はクイックリターンミラー１６により焦点検出部４３及び不図示の測光部へと導かれる。一方、クイックリターンミラー１６がミラーアップ状態の場合、被写体光束は、クイックリターンミラー１６により撮像素子１８へ導かれる。
【００１５】
メカニカルシャッタ１７は、クイックリターンミラー１６と撮像素子１８との間の、被写界光束の光路上に配置される。このメカニカルシャッタ１７は、ＴＧ２０からの駆動信号を受けたシャッタ駆動機構２２により開閉される。
【００１６】
撮像素子１８は、ＣＣＤイメージセンサ、ＣＭＯＳイメージセンサなどから構成される。この撮像素子１８は、ＴＧ２０から供給される駆動信号に応じて、信号の蓄積及び信号の読み出しを行う。
【００１７】
ＴＧ２０は、ＣＰＵ４０からの指示に応じて、撮像素子１８やシャッタ駆動機構２２に対して駆動信号を出力する。また、ＴＧ２０は、ＡＦＥ回路１９やＣＰＵ４０に対して同期信号を供給する。ここで、ＴＧ２０は、撮像素子１８へ供給する駆動信号のパターンと、メカニカルシャッタ１７へ供給する駆動信号のパターンとの組み合わせにより、１フレーム当たりの露光時間を制御する。この露光時間は、ＣＰＵ４０により指定されたＴｖ値に応じた値に設定される。ここで、Ｔｖ値は、ユーザが入力した値であってもよいし、自動露出演算により算出された値であってもよい。ここで、後述する高速連写を行う場合には、メカニカルシャッタ１７を開成状態としたまま、撮像素子１８の駆動制御（信号の蓄積及び信号の読み出し）を行う。この場合、露光時間は、撮像素子１８に供給される駆動信号のみで制御される。つまり、高速連写を行う場合には、メカニカルシャッタ１７ではなく、電子シャッタが用いられる。
【００１８】
ＡＦＥ回路１９は、ＣＤＳ回路、ゲイン回路、Ａ／Ｄ変換回路などを備えている。ＣＤＳ回路は、撮像素子１８から出力されるアナログ信号のノイズ成分を相関二重サンプリングにより除去する。ゲイン回路は、ノイズが除去されたアナログ信号を増幅する。Ａ／Ｄ変換し出力変換回路は、増幅されたアナログ信号をデジタル信号に変換する。
【００１９】
ここで、ゲイン回路による信号の増幅時に用いられる信号増幅率（ゲイン）は、ＣＰＵ４０からのＳｖ値に基づいた値である。このＳｖ値は撮影時の感度（ＩＳＯ感度）であり、このＳｖ値は、ユーザが指定した値であってもよいし、自動露出演算にて算出された値であってもよい。
【００２０】
焦点検出部４３は、ミラーダウン状態のクイックリターンミラー１６から導かれた被写界光束を瞳分割してから再統合することにより、撮像素子１８に対する撮像光学系１５のデフォーカス信号を生成する位相差検出方式の焦点検出部から構成される。ここで、撮像光学系１５のデフォーカス信号は、撮像範囲に対して複数配置される複数のＡＦエリアのそれぞれで生成される。
【００２１】
バッファメモリ２５は、ＡＦＥ回路１９から出力されたデジタル信号が書き込まれる。このバッファメモリ２５は、ＡＦＥ回路１９から出力されたデジタル信号が書き込まれる他、画像処理回路２６から転送された他のデジタル信号が書き込まれる。ここで、バッファメモリ２５は、複数フレーム分のデジタル信号を記憶することができる。
【００２２】
画像処理回路２６は、ホワイトバランス処理回路、画素補間回路、マトリクス処理回路、非線形変換（γ補正）処理回路及び輪郭強調処理回路などを備え、デジタル信号に対して、ホワイトバランス、画素補間、マトリクス、非線形変換（γ補正）及び輪郭強調などの処理を施す。この画像処理回路２６は、トリミング部４７を備えている。トリミング部４７は、連続撮影により得られた画像データのそれぞれから、後述する比較対象領域に該当する領域をトリミング処理する。なお、トリミング処理された画像データ（対象画像データ）は、バッファメモリ２５に記憶される。
【００２３】
圧縮／伸長回路２７は、画像処理済みの画像データや、対象画像データに対して圧縮処理を施す。圧縮処理が施された画像データは、接続用Ｉ／Ｆ３０に接続を介して記憶媒体４８に書き込まれる。ここで、記憶媒体４８としては、不揮発性メモリからなるメモリーカード、光学ディスク、磁気ディスクなどが挙げられる。また、圧縮／伸長回路２７は、記憶媒体４８から読み出した圧縮処理済みの画像データに対して伸長処理を行う。表示制御回路２８は、入力された画像データを表示用の所定方式の信号に変換して表示装置２９に表示する。
【００２４】
ＣＰＵ４０は、不揮発性メモリ４１に格納されている制御プログラムに従って、ワークメモリ４２を一時記憶作業領域として利用して各部の制御を行う。このＣＰＵ４０は、連続撮影時に、顔検出部５１、領域設定部５２、データ比較部５３、焦点制御部５４の機能が有効となる。
【００２５】
顔検出部５１は、画像中に含まれる人物の顔を検出する。この顔を検出する処理としては、例えば画像に含まれる肌色の領域を検出し、肌色の領域に含まれる特徴量から、顔であるか否かの判定を行う処理、又は顔形状のテンプレートを複数用意しておき、テンプレートと画像との相関から顔の領域を検出する処理等が挙げられる。顔検出部５１は、顔が検出されると、検出された顔を含む矩形の領域を顔領域として抽出し、顔領域の位置データを求める。ここで、顔領域の位置データは、顔領域の四隅の頂点の位置座標を示すアドレスデータである。
【００２６】
領域設定部５２は、後述するデータ比較部５３にて実行されるデータ比較の際に用いる領域（比較対象領域）を設定する。まず、領域設定部５２は、連続撮影における１回目の撮像処理により得られる画像を縦ｍ個横ｎ個の計ｍ×ｎ個の領域に分割する。この領域分割に関わるデータは例えばワークメモリ４２に記憶される。以下、画像を分割することで得られる領域を分割領域と称して説明する。
【００２７】
上述した顔検出部５１による顔検出処理において顔が検出された場合には、抽出された顔領域の位置データを用いて、分割された複数の領域のうちのいずれかの領域を、比較対象領域として設定する。一方、顔検出部５１による顔検出処理において、顔が検出されない場合には、領域設定部５２は、１回目の撮像処理にて実行されるフォーカス調節の結果に基づいて、分割された複数の領域のうちのいずれかの領域を、比較対象領域として設定する。
【００２８】
比較対象領域が設定されると、領域設定部５２は、比較対象領域の位置データを求める。求めた比較対象領域の位置データは、比較対象領域の四隅の頂点の位置座標を示すアドレスデータである。なお、この比較対象領域の位置データは、画像処理回路２６に出力される。画像処理回路２６は、比較対象領域の位置データに基づいて、連続撮影時に得られる各画像データに対してトリミング処理を実行する。
【００２９】
データ比較部５３は、上述した圧縮処理が施された対象画像データのデータ量を比較する。例えば同じ被写界を撮影した２つの画像のデータ量は近似する。しかしながら、鮮鋭度が高い画像のデータ量は、鮮鋭度の低い画像のデータ量よりも大きくなる傾向がある。ここで、画像における鮮鋭度が高いほど、ピントがあった画像となる。また、上述した比較対象領域は、主要被写体となる人物の顔領域、又は焦点が合うＡＦエリアが含まれる領域であることから、圧縮処理済みの対象画像データのデータ量を比較することで、画像において注目すべき領域に対して焦点が合うように、フォーカス制御を行うことができ、他の領域に焦点が合うことを防止することができる。
【００３０】
焦点制御部５４は、連続撮影における各フォーカス制御を実行する。この連続撮影における１回目の撮像処理のフォーカス制御は、上述した焦点検出部４３における検出結果を利用したフォーカス制御である。また、連続撮影における２回目以降のフォーカス制御は、データ比較部５３による比較結果に基づいたフォーカス制御である。なお、２回目以降のフォーカス制御は、比較対象領域をトリミングすることで得られる対象画像の鮮鋭度と、対象画像のデータ量との関係を利用したフィードバック制御となる。
【００３１】
次に、比較対象領域の設定について説明する。
【００３２】
上述したように、比較対象領域は、顔検出部５１による顔の検出処理の結果に基づいて設定される。以下、１回目の撮像処理により得られた画像Ｐ１を縦４個、横６個計２４個の領域Ａ１〜Ａ２４に分割した場合について説明する。顔検出部５１により顔が検出されている場合には、領域設定部５２は、検出された顔が単数（１つ）であるか、複数（２以上）であるかを判定する。
【００３３】
例えば検出された顔が１つである場合、領域設定部５２は、抽出された顔領域が１つの分割領域よりも小さいか否かを判定する。顔領域が分割領域よりも小さいと判定された場合、領域設定部５２は、抽出された顔領域が複数の分割領域のいずれかの領域に収まるか、複数の分割領域に跨るかを判定する。
【００３４】
図２（ａ）に示すように、抽出された顔領域ＦＲ１が１つの分割領域よりも小さく、また顔領域ＦＲ１が分割領域Ａ１７に収まる場合、領域設定部５２は、分割領域Ａ１７を比較対象領域として設定する。
【００３５】
図２（ｂ）に示すように、抽出された顔領域ＦＲ２が１つの分割領域よりも小さい場合であっても、顔領域ＦＲ２が複数の分割領域Ａ１０、Ａ１１、Ａ１６、Ａ１７に跨るときもある。このような場合には、領域設定部５２は、分割領域Ａ１０、Ａ１１、Ａ１６、Ａ１７を比較対象領域として設定する。図２（ｂ）においては、顔領域ＦＲ２が複数の分割領域Ａ１０、Ａ１１、Ａ１６、Ａ１７に跨る場合を説明しているが、顔領域が上下方向又は左右方向に隣り合う２つの分割領域に跨る場合には、顔領域が跨る２つの分割領域を比較対象領域に設定すればよい。
【００３６】
一方、図２（ｃ）に示すように、顔領域ＦＲ３が１つの分割領域よりも大きい場合には、顔領域ＦＲ３は複数の分割領域に跨るので、このような場合、領域設定部５２は、顔領域ＦＲ３が跨る分割領域Ａ１０、Ａ１１、Ａ１２、Ａ１６，Ａ１７、Ａ１８、Ａ２２、Ａ２３、Ａ２４を比較対象領域として設定する。
【００３７】
また、顔検出部５１により検出された顔が複数となる場合、領域設定部５２は、まず、検出された複数の顔に基づく顔領域のうち、１つの分割領域よりも大きい顔領域があるか否かを判定する。図３（ａ）は、３つの顔領域ＦＲ４、ＦＲ５、ＦＲ６が抽出された場合を示す。顔領域ＦＲ４、ＦＲ５、ＦＲ６のうち、顔領域ＦＲ６が最も大きい顔領域となる場合には、領域設定部５２は顔領域ＦＲ６を選択する。そして、領域設定部５２は、選択された顔領域ＦＲ６が跨る分割領域Ａ１６，Ａ１７、Ａ２２、Ａ２３を、比較対象領域として設定する。
【００３８】
一方、図３（ｂ）に示すように、検出された３つの顔領域ＦＲ７、ＦＲ８、ＦＲ９のいずれも、１つの分割領域よりも小さい場合がある。このような場合には、領域設定部５２は、顔領域の位置とＡＦエリアの位置とに基づいて、ＡＦエリアのいずれかに重畳する顔領域があるか否かを判定する。ＡＦエリアのいずれかに重畳する顔領域があれば、領域分割部５２は、その顔領域を選択し、選択された顔領域が収まる分割領域、或いは顔領域が跨る分割領域を比較対象領域として設定する。図３（ｂ）においては、顔領域ＦＲ８がＡＦエリアに重畳しているので、領域設定部５２は、顔領域ＦＲ８を選択する。そして、領域設定部５２は、顔領域ＦＲ８が収まる分割領域Ａ９を比較対象領域として設定する。なお、検出された顔領域のいずれもがＡＦエリアに重畳されない場合には、検出された顔領域のうち、最も大きい顔領域が位置する分割領域を比較対象領域としてもよいし、焦点が合うＡＦエリアが含まれる分割領域を比較対象領域としてもよい。
【００３９】
次に、顔検出部５１による顔検出処理において顔が検出されない場合について説明する。顔検出部５１による顔検出処理において顔が検出されない場合、領域設定部５２は、連続撮影が開始されたときに実行されるフォーカス調節の結果に基づいて、複数の分割領域のうちのいずれかの領域を、比較対象領域として設定する。上述した１回目の撮像処理においては、焦点検出部４３により求められるＡＦエリア毎のデフォーカス信号を用いたフォーカス制御が実行される。領域設定部５２は、これらＡＦエリアのうち、焦点が合うＡＦエリアを用いて、比較対象領域を設定する。
【００４０】
図４（ａ）に示すように、複数のＡＦエリアのうち、焦点が合うＡＦエリアとして１つのＡＦエリアＢ１が該当する場合、領域設定部５２は、焦点が合うＡＦエリアＢ１が１つの分割領域に収まるか、複数の分割領域に跨るかを判定する。この場合、ＡＦエリアＢ１は分割領域Ａ１０に収まるので、領域設定部５２は、分割領域Ａ１０を比較対象領域として設定する。
【００４１】
例えば複数のＡＦエリアは、必ずしも分割領域内に収まらずに、隣り合う分割領域に跨る場合もある。図４（ｂ）に示すように、分割領域Ａ９、Ａ１０、Ａ１５、Ａ１６に跨るＡＦエリアＢ２が焦点の合うＡＦエリアとなる場合、領域設定部５２は、分割領域Ａ９、Ａ１０、Ａ１５、Ａ１６を比較対象領域として設定する。
【００４２】
一方、焦点が合うＡＦエリアが複数ある場合には、領域設定部５２は、焦点の合うＡＦエリアのそれぞれが１つの分割領域に収まるか否かを判定する。図５（ａ）は、焦点の合うＡＦエリアが複数、１つの分割領域に収まる場合であり、焦点の合うＡＦエリアは塗りつぶして示している。この場合、領域設定部５２は、焦点が合うＡＦエリアが収まる分割領域Ａ１０を比較対象領域として設定する。
【００４３】
一方、焦点の合うＡＦエリアが複数あり、それぞれのＡＦエリアが複数の分割領域に収まる場合には、領域設定部５２は、焦点の合うＡＦエリアが含まれる分割領域を全て比較対象領域として設定する。図５（ｂ）の場合、塗りつぶしで示すＡＦエリアが焦点の合うＡＦエリアである。この場合、領域設定部５２は、焦点が合うＡＦエリアが位置する分割領域Ａ９、Ａ１０、Ａ１５、Ａ１６を比較対象領域として設定する。
【００４４】
なお、図５（ｃ）に示すように、焦点が合うＡＦエリアが近接して位置せず、離散して位置している場合もある。このような場合には、領域設定部５２は、焦点が合うＡＦエリアが含まれる分割領域Ａ８及び分割領域Ａ１０、Ａ１１を比較対象領域として設定する。
【００４５】
図６〜図８は、連続撮影を行う場合の処理の流れを示すフローチャートである。
【００４６】
ステップＳ１０１は、レリーズボタンが半押し操作されたか否かを判定する処理である。レリーズボタン４４には、その半押し操作及び全押し操作を検知する検知スイッチが設けられている。レリーズボタン４４が半押し操作されると、半押し操作を検知する検知スイッチがオンとなり、その信号（以下、半押し信号）がＣＰＵ４０に出力される。半押し信号が入力されたことを受けて、ＣＰＵ４０は、ステップＳ１０１の判定処理をＹｅｓとする。この場合、ステップＳ１０２に進む。
【００４７】
一方、半押し信号が入力されない場合には、ＣＰＵ４０は、ステップＳ１０１の判定処理をＮｏとする。この場合には、ステップＳ１０１の判定処理がＹｅｓとなるまで、このステップＳ１０１の判定処理が実行される。
【００４８】
ステップＳ１０２は、ＡＥ処理及びＡＦ処理を実行する処理である。ＣＰＵ４０は、不図示の測光装置から出力される信号に基づいてＡＥ処理を実行する。ＣＰＵ４０がＡＥ処理を実行することで、Ｔｖ値、Ａｖ値及びＳｖ値の組み合わせが決定される。また、ＣＰＵ４０は、焦点検出部が出力するデフォーカス信号に基づいてＡＦ処理を実行する。このＡＦ処理において、ＣＰＵ４０は、焦点検出部から入力されるデフォーカス信号のうち、設定されたフォーカスエリアのデフォーカス信号を選択した後、選択したデフォーカス信号からフォーカシングレンズの駆動量を求める。
【００４９】
ステップＳ１０３は、レリーズボタンの半押し操作が解除されたか否かを判定する処理である。上述したように、レリーズボタン４４が半押し操作されると、半押し信号がＣＰＵ４０に入力される。また、レリーズボタン４４の半押し操作が解除されると、ＣＰＵ４０への半押し信号の出力が停止される。すなわち、このステップＳ１０３においては、ＣＰＵ４０は、半押し信号の出力が停止されたか否かによって、レリーズボタン４４の半押し操作が解除されたか否かを判定する。
【００５０】
例えば半押し信号の出力が継続されている場合には、ＣＰＵ４０は、レリーズボタン４４の半押し操作が解除されていないと判定する。この場合、ステップＳ１０３の判定処理がＮｏとなり、ステップＳ１０４に進む。一方、半押し信号の出力が停止された場合には、ＣＰＵ４０は、レリーズボタン４４の半押し操作が解除されたと判定する。この場合、ステップＳ１０３の判定処理がＹｅｓとなり、ステップＳ１０１に戻る。
【００５１】
ステップＳ１０４は、レリーズボタンの全押し操作されたか否かを判定する処理である。レリーズボタン４４が全押し操作されると、全押し操作を検知する検知スイッチがオンとなり、その信号（全押し信号）がＣＰＵ４０に出力される。全押し信号が入力されたことを受けて、ＣＰＵ４０は、ステップＳ１０４の判定処理をＹｅｓとする。この場合、ステップＳ１０５に進む。一方、全押し信号が入力されない場合には、ＣＰＵ４０は、ステップＳ１０４の判定処理をＮｏとする。この場合、ステップＳ１０３戻る。
【００５２】
ステップＳ１０５は、撮像処理（１回目）である。ＣＰＵ４０は、ステップＳ１０２で決定されたＴｖ値、Ａｖ値及びＳｖ値を、レンズ駆動機構２１、ＴＧ２０、ＡＦＥ回路１９に対して指定する。同時に、ＣＰＵ４０は、クイックリターンミラー１６をミラーアップ状態に切り替える。そして、ＣＰＵ４０は、ＴＧ２０に撮像開始の信号を出力する。これにより、撮像処理が実行される。
【００５３】
この撮像処理を行うことで、撮像素子１８から画像信号が出力される。この画像信号はＡＦＥ回路１９を介してバッファメモリ２５に記憶される。そして、画像処理回路２６により読み出される。画像処理回路２６は、ホワイトバランス調整、色補間、階調変換、色変換などの画像処理を施す。なお、画像処理回路２６によって、各種画像処理が施された画像データは、再度バッファメモリ２５に記憶される。
【００５４】
ステップＳ１０６は、顔検出処理である。ＣＰＵ４０は、バッファメモリ２５に記憶された画像処理済みの画像データを読み出し、顔検出処理を実行する。この顔検出処理で顔が検出された場合、ＣＰＵ４０は、検出された顔を含む矩形の領域を顔領域として抽出した後、顔領域の位置データを求める。
【００５５】
ステップＳ１０７は、顔が検出されたか否かを判定する処理である。ステップＳ１０６の顔検出処理で、顔が検出されている場合には、ＣＰＵ４０は、ステップＳ１０７の判定処理をＹｅｓとする。この場合、ステップＳ１０８に進む。一方、ステップＳ１０６の判定処理で、顔が検出されない場合には、ＣＰＵ４０は、ステップＳ１０７の判定処理をＮｏとする。この場合、ステップＳ１０９に進む。
【００５６】
ステップＳ１０８は、顔領域の位置データに基づいて比較対象領域を設定する処理である。例えば１つの顔が検出されている場合、ＣＰＵ４０は、顔領域の大きさと分割領域の大きさとを比較する。例えば顔領域の大きさが１つの分割領域の大きさよりも小さいときには、ＣＰＵ４０は、顔領域が１つの分割領域に収まるか、複数の分割領域に跨るかを判定する。顔領域が１つの分割領域に収まる場合には、ＣＰＵ４０は、顔領域が収まる分割領域を比較対象領域として設定する。一方、顔領域が複数の分割領域に跨る場合には、ＣＰＵ４０は、顔領域が跨る分割領域を比較対象領域として設定する。顔領域の大きさが１つの分割領域の大きさよりも大きい場合には、ＣＰＵ４０は、顔領域が跨る複数の分割領域を比較対象領域として設定する。
【００５７】
また、複数の顔が検出される場合には、ＣＰＵ４０は、検出される複数の顔領域のうち、１つの分割領域の大きさよりも大きい顔領域があるか否かを判定する。１つの分割領域の大きさよりも大きい顔領域がある場合には、ＣＰＵ４０は、該顔領域が跨る分割領域を比較対象領域として設定する。
【００５８】
一方、検出される顔領域のいずれもが、１つの分割領域の大きさよりも小さい場合には、ＣＰＵ４０は、ＡＦエリアに重畳される顔領域が位置する分割領域を比較対象領域として設定する。ここで、ＡＦエリアに重畳される顔領域が位置する分割領域とは、ＡＦエリアに重畳される顔領域が収まる分割領域、又は、ＡＦエリアに重畳される顔領域が跨る分割領域である。
【００５９】
ステップＳ１０９は、ＡＦエリアに基づいて比較対象領域を設定する処理である。
【００６０】
上述したように、ステップＳ１０９の処理は、ステップＳ１０６にて顔検出されない場合に実行される。ＣＰＵ４０は、ＡＦエリアのうち、焦点が合うＡＦエリアを特定する。そして、ＣＰＵ４０は、特定したＡＦエリアが位置する分割領域、或いは、ＡＦエリアが跨る分割領域を比較対象領域として設定する。
【００６１】
ステップＳ１１０は、画像データを保存する処理である。圧縮／伸長回路２７は、バッファメモリ２５に記憶された画像処理済みの画像データをバッファメモリ２５上に複製（コピー）する。そして、複製した画像データに対して圧縮処理を施す。なお、圧縮処理を施した画像データはバッファメモリ２５に記憶される。ＣＰＵ４０は、バッファメモリ２５に記憶された圧縮処理済みの画像データを接続用Ｉ／Ｆ３０を介して、記憶媒体４８に記憶する。このステップＳ１１０により、１回目の撮影における画像データが記憶媒体４８に記憶される。
【００６２】
ステップＳ１１１は、トリミング処理である。画像処理回路２６は、バッファメモリ２５に記憶された画像処理済みの画像データを読み出す。そして、画像処理回路２６は、比較対象領域に基づいた、トリミング処理を実行する。なお、トリミング処理が行われることで、対象画像データが生成される。このステップＳ１１１により、１回目の撮影における対象画像データが生成され、バッファメモリ２５に記憶される。
【００６３】
ステップＳ１１２は、圧縮処理である。圧縮／伸長回路２７は、バッファメモリ２５に記憶された対象画像データを読み出す。そして、この対象画像データに対して圧縮処理を実行する。ＣＰＵ４０は、圧縮処理が施された対象画像データのデータ量を、撮影コマ数と対応付けて、ワークメモリに記憶する。これにより、１回目の撮影における対象画像データを圧縮処理したときのデータ量が取得される。ここで、圧縮処理された対象画像データは、バッファメモリ２５に記憶してもよいし、記憶せずに削除してもよい。
【００６４】
ステップＳ１１３は、レリーズボタンの操作が解除されたか否かを判定する処理である。上述したように、レリーズボタン４４が操作されると、レリーズボタン４４の操作に基づく信号（半押し信号、全押し信号）がＣＰＵ４０に入力される。このステップS１１３においては、レリーズボタン４４の操作に基づく信号の出力が停止されたか否かによって、レリーズボタン４４の操作が解除されたか否かを判定する。例えば、レリーズボタン４４の操作に基づく信号の出力が継続されていれば、ＣＰＵ４０は、レリーズボタン４４の操作が解除されていないと判定する。この場合、ステップＳ１１３の判定はＮｏとなり、ステップＳ１１４に進む。一方、レリーズボタン４４の操作に基づく信号の出力が停止された場合、ＣＰＵ４０は、レリーズボタン４４の操作が解除されたと判定する。この場合、ステップＳ１１３の判定はＹｅｓとなる。この場合には、連続撮影に係る処理が終了する。
【００６５】
ステップＳ１１４は、撮像処理（２回目）である。この撮像処理においては、撮像光学系を構成するフォーカシングレンズの位置は、１回目の撮像処理と同位置、つまり、フォーカシングレンズの位置を固定したまま、２回目の撮像処理を実行する。２回目の撮像処理が実行されることで、撮像素子１８から出力される画像信号は、ＡＦＥ回路１９を介してバッファメモリ２５に記憶される。そして、画像処理回路２６により読み出される。画像処理回路２６は、ホワイトバランス調整、色補間、階調変換、色変換などの画像処理を施す。なお、画像処理回路２６によって、各種画像処理が施された画像データは、再度バッファメモリ２５に記憶される。
【００６６】
ステップＳ１１５は、画像データを保存する処理である。このステップＳ１１５の処理は、ステップＳ１１０と同一の処理である。このステップＳ１１５の処理により、２回目の撮影における画像データが、記憶媒体４８に記憶される。
【００６７】
ステップＳ１１６は、トリミング処理である。このステップＳ１１６の処理は、ステップＳ１１１と同一の処理である。このステップＳ１１６の処理により２回目の撮影における対象画像データが生成される。
【００６８】
ステップＳ１１７は、圧縮処理である。このステップＳ１１７の処理は、ステップＳ１１２と同一の処理である。このステップＳ１１７の処理により、２回目の撮影における対象画像データを圧縮処理したときのデータ量が取得される。
【００６９】
ステップＳ１１８は、データ量の変化量を算出する処理である。ＣＰＵ４０は、ステップＳ１１７にて記憶された２回目の撮像処理に基づく対象画像データのデータ量Ｄ２から、ステップＳ１１２にて記憶された１回目の撮像処理に基づく対象画像データのデータ量Ｄ１を減算することで、比較対象領域におけるデータ量の変化量ΔＤ１２を算出する。ここで、１回目の撮像処理は、被写体に焦点を合わせていることから、１回目の撮像処理に基づく対象画像データが基準の対象画像データとなる。
【００７０】
ステップＳ１１９は、データ量の変化量が所定範囲外となるか否かを判定する処理である。ＣＰＵ４０は、ステップＳ１１８により求めたデータ量の変化量ΔＤ１２が所定範囲外となる場合、ステップＳ１１９の判定処理をＹｅｓとし、ステップＳ１２０に進む。
【００７１】
一方、ステップＳ１１８により求めたデータ量の変化量ΔＤ１２が所定範囲内となる場合、ステップＳ１１９の判定処理をＮｏとする。この場合、ステップＳ１２３に進む。ここで、ステップＳ１１９に用いられる所定範囲は、予め実験、統計などにより求められる範囲であることが望ましい。
【００７２】
つまり、ステップＳ１１９の判定処理がＮｏとなる場合には、データ量の変化量ΔＤ１２が例えば誤差の範囲に含まれると推測できる。このため、フォーカシングレンズは、２回目の撮像処理におけるフォーカシングレンズの位置に固定される。
【００７３】
Ｓ１２０は、データ量が低下したか否かを判定する処理である。ステップＳ１１８において、データ量の変化量ΔＤ１２が算出されている。このデータ量ΔＤ１２が負の値となる場合には、ＣＰＵ４０は、データ量が低下したと判定する。この場合、ステップＳ１２０の判定処理がＹｅｓとなり、ステップＳ１２１に進む。
【００７４】
一方、データ量ΔＤ１２が正の値となる場合には、ＣＰＵ４０は、データ量が増加したと判定する。この場合、ステップＳ１２０の判定処理がＮｏとなり、ステップＳ１２３に進む。上述したように、画像データのデータ量は、ピントが合わない画像データに比べて、焦点が合う画像データのデータ量は大きくなる。つまり、データ量ΔＤ１２が正の値となる場合には、２回目の撮像処理で得られた画像データは、１回目の撮像処理により得られた画像データよりも主要被写体に焦点が合う画像データであると推定できる。この場合、フォーカシングレンズは、２回目の撮像処理におけるフォーカシングレンズの位置に固定される。
【００７５】
ステップＳ１２１は、フォーカシングレンズの移動量を算出する処理である。ＣＰＵ４０は、ステップＳ１１９により求めたデータ量の変化量ΔＤ１２を用いて、フォーカシングレンズの移動量を算出する。このフォーカシングレンズの算出においては、例えば焦点距離など、撮像光学系１５に固有の特性が考慮される。
【００７６】
ステップＳ１２２は、フォーカシングレンズを移動させる処理である。ＣＰＵ４０は、ステップＳ１２１にて求めた移動量に基づいて、レンズ駆動機構２１を介してフォーカシングレンズを移動させる。このとき、フォーカシングレンズの移動方向は、予め至近端方向又は無限端方向のいずれかに設定される。ＣＰＵ４０は、設定された移動方向にフォーカシングレンズを移動させる。
【００７７】
ステップＳ１２３は、レリーズボタンの操作が解除されたか否かを判定する処理である。なお、このステップＳ１２３の処理は、ステップＳ１１３と同一の処理である。例えば、レリーズボタン４４の操作に基づく信号の出力が継続されていれば、ＣＰＵ４０は、レリーズボタン４４の操作が解除されていないと判定する。この場合、ステップＳ１２３の判定はＮｏとなり、ステップＳ１２４に進む。つまり、２回目の撮像処理が終了し、３回目以降の撮像処理が実行される。
【００７８】
一方、レリーズボタン４４の操作に基づく信号の出力が停止された場合、ＣＰＵ４０は、レリーズボタン４４の操作が解除されたと判定する。この場合、ステップＳ１２３の判定はＹｅｓとなる。この場合には、連続撮影に係る処理が終了する。
【００７９】
ステップＳ１２４は、撮像処理（３回目）である。この撮像処理により、撮像素子１８から出力される画像信号は、ＡＦＥ回路１９を介してバッファメモリ２５に記憶される。そして、画像処理回路２６により読み出される。画像処理回路２６は、ホワイトバランス調整、色補間、階調変換、色変換などの画像処理を施す。なお、画像処理回路２６によって、各種画像処理が施された画像データは、再度バッファメモリ２５に記憶される。
【００８０】
ステップＳ１２５は、画像データを保存する処理である。このステップＳ１２５の処理は、Ｓ１１５と同一の処理である。これにより、３回目の撮像処理で得られた画像データが、記憶媒体４８に記憶される。
【００８１】
ステップＳ１２６は、トリミング処理である。このステップＳ１２６の処理は、ステップＳ１１６と同一の処理である。このステップＳ１２６の処理により、３回目の撮像処理における対象画像データが生成される。
【００８２】
ステップＳ１２７は、圧縮処理である。このステップＳ１２７の処理は、ステップＳ１１２と同一の処理である。このステップＳ１２７の処理により、３回目の撮影における対象画像データを圧縮処理したときのデータ量が取得される。
【００８３】
ステップＳ１２８は、データ量の変化量を算出する処理である。ＣＰＵ４０は、圧縮処理が施されたときの対象画像データのデータ量を用いて、データ量の変化量を算出する。ＣＰＵ４０は、３回目の撮像処理により得られた圧縮処理済みの対象画像データのデータ量Ｄ３から、１回目の撮像処理により得られた圧縮処理済みの対象画像データのデータ量Ｄ１を減算し、変化量ΔＤ１３を求める。また、ＣＰＵ４０は、３回目の撮像処理により得られた圧縮処理済みの対象画像データのデータ量Ｄ３から２回目の撮像処理により得られた圧縮処理済みの対象画像データのデータ量Ｄ２を減算し、変化量ΔＤ２３を求める。
【００８４】
ステップＳ１２９は、データ量の変化量が所定範囲を超過しているか否かを判定する所定である。ＣＰＵ４０は、ステップＳ１２８により求めたデータ量の変化量ΔＤ１３が所定範囲外となる場合、ステップＳ１１９の判定処理をＹｅｓとし、ステップＳ１３０に進む。
【００８５】
一方、ステップＳ１２８により求めたデータ量の変化量ΔＤ１３が所定範囲内となる場合、ステップＳ１２９の判定処理をＮｏとする。この場合、ステップＳ１３５に進む。つまり、ステップＳ１２９の判定処理がＮｏとなる場合には、データ量の変化量ΔＤ１３が例えば誤差の範囲に含まれると推測できる。このため、フォーカシングレンズは、３回目の撮像処理におけるフォーカシングレンズの位置に固定される。
【００８６】
ステップＳ１３０は、データ量の変化量が低下したか否かを判定する処理である。ＣＰＵ４０は、ステップＳ１２８により求めたデータ量の変化量ΔＤ１３、変化量ΔＤ１２を用いて、データ量の変化量ΔＤ１３がデータ量の変化量ΔＤ１２に対して小さくなるか否かを判断する。例えば、データ量の変化量ΔＤ１３がデータ量の変化量ΔＤ１２以下となる場合には、ＣＰＵ４０は、ステップＳ１３０の判定をＹｅｓとする。この場合、ステップＳ１３１に進む。一方、データ量の変化量ΔＤ１３がデータ量の変化量ΔＤ２３を超過する場合には、ＣＰＵ４０は、ステップＳ１３０の判定をＮｏとする。この場合、ステップＳ１３３に進む。
【００８７】
上述したようにステップＳ１３０の判定結果がＹｅｓとなる場合、ステップＳ１３１に進む。
【００８８】
ステップＳ１３１は、フォーカシングレンズの移動量を算出する処理である。ＣＰＵ４０は、データ量の変化量ΔＤ２３を用いてフォーカシングレンズの移動量を算出する。
【００８９】
ステップＳ１３２は、フォーカシングレンズを同一方向に移動させる処理である。ＣＰＵ４０は、レンズ駆動機構２１を介して、ステップＳ１２２におけるフォーカシングレンズの移動方向と同一方向にフォーカシングレンズを移動させる。ここで、フォーカシングレンズの移動量は、ステップＳ１３１にて求めた移動量である。この処理が実行されると、ステップＳ１３５に進む。
【００９０】
一方、ステップＳ１３０の判定結果がＮｏなる場合、ステップＳ１３３に進む。
【００９１】
ステップＳ１３３は、フォーカシングレンズの移動量を算出する処理である。このステップＳ１３３の処理は、ステップＳ１３１と同一の処理である。
【００９２】
ステップＳ１３４は、フォーカシングレンズを逆方向に移動させる処理である。ＣＰＵ４０は、レンズ駆動機構２１を介して、ステップＳ１２２におけるフォーカシングレンズの移動方向とは逆方向にフォーカシングレンズを移動させる。ここで、フォーカシングレンズの移動量は、ステップＳ１３１にて求めた移動量である。この処理が実行されると、ステップＳ１３５に進む。
【００９３】
ステップＳ１３５は、レリーズボタンの操作が解除されたか否かを判定する処理である。このステップＳ１３５の処理は、ステップＳ１１３、ステップＳ１２３と同一の処理である。つまり、ＣＰＵ４０がレリーズボタン４４の操作が解除されたと判定した場合には、ステップＳ１３５の判定処理がＹｅｓとなる。この場合、連続撮影に係る一連の処理が終了する。連続撮影に係る一連の処理の終了に基づいて、クイックリターンミラー１６がミラーアップ状態から、ミラーダウン状態に切り替えられる。
一方、ＣＰＵ４０がレリーズボタン４４の操作が解除されていないと判定した場合には、ステップＳ１３５の判定処理がＮｏとなる。この場合、ステップＳ１２４の処理に戻り、４回目の撮像処理が実行される。そして、ステップＳ１２４〜ステップＳ１３４の処理が実行される。以下、ステップＳ１３５の処理がＹｅｓとなるまで、ステップＳ１２４からステップＳ１３４の処理が繰り返し実行される。つまり、４回目以降の撮影が実行される。
【００９４】
上述したように、本実施形態のフォーカス制御は、比較対象領域に該当する対象画像データに対する圧縮処理を行うことで得られる圧縮処理済みの対象画像データのデータ量の変化に基づいて実行される。ここで、比較対象領域は、撮影時の主要被写体、或いは、焦点が合う領域を基準とした領域であることから、連続撮影を開始したときに焦点を合わせた領域に対して適切なフォーカス制御を行うことができる。つまり、画像データ全体を圧縮処理したときのデータ量の変化量を比較する場合には、主要被写体に対して焦点が合う画像データではなく、他の被写体に対して焦点が合う画像データも得られる恐れがあるが、本発明の構成とすることで、主要被写体に対して焦点が合う画像データのみを取得することが可能となる。
【００９５】
本実施形態では、連続撮影が開始されたときの１回目の撮像処理により得られた画像データに対して顔検出処理や、比較対象領域を設定する処理を行っているが、これに限定する必要はなく、連続撮影が実行される前に撮像素子から出力される画像（スルー画像）を用いて顔検出処理や比較対象領域を設定する処理を予め行うことも可能である。
【００９６】
本実施形態では、顔検出処理により複数の顔を検出した場合、最も大きい顔やＡＦエリアに重畳される顔が含まれる分割領域を比較対象領域に設定しているが、これに限定される必要はなく、ユーザによる操作部４５を用いた入力操作に基づいて、主要被写体を予め指定しておき、指定された顔が含まれる分割領域を比較対象領域に設定することも可能である。なお、顔検出処理により顔が検出されない場合、ユーザが予め焦点検出に用いるＡＦエリアを指定していれば、ユーザが指定したＡＦエリアが含まれる分割領域を比較対象領域に設定すればよい。
【００９７】
本実施形態では、撮像処理の直後に、撮像処理により得られる画像データ保存する処理を行っている（ステップＳ１１０、ステップＳ１１５、ステップＳ１２５）が、これに限定する必要はなく、レリーズボタン４４の操作が解除されたことを受けて、連続撮影における各撮像処理により得られた画像データを保存する処理を行ってもよい。
【００９８】
本実施形態では、各撮像処理により得られた画像データを用いているが、これに限定される必要はなく、デジタルカメラにおいては、得られた画像データを縮小した画像データを用いて顔検出処理を行っている場合もあるので、本実施形態のフォーカス制御を縮小した画像データを用いて行うことも可能である。
【００９９】
本実施形態では、予め画像を複数の分割領域に分割し、画像に含まれる被写体の顔領域、又は焦点の合うＡＦエリアが含まれる分割領域を比較対象領域としているが、予め画像を複数の領域に分割する必要はなく、例えば顔検出処理により顔が検出された場合には、検出された顔の領域が含まれる矩形の領域を比較対象領域とし、顔検出処理により顔が検出されない場合には、焦点の合うＡＦエリアが含まれる所定の大きさの領域を比較対象領域とすることができる。
【０１００】
本実施形態では、人物の顔を例に挙げているが、これに限定される必要はなく、人物の他に、動物、自動車、船などの輸送機器や、建物などを被写体としてもよい。
【０１０１】
本発明では、デジタルカメラにおけるフォーカス制御を、位相差検出方式のフォーカス制御としているが、これに限定される必要はなく、コントラスト検出方式のフォーカス制御としてもよい。また、連続撮影における１回目の撮像処理の際に、ユーザによる操作に基づくフォーカス制御を行うことも可能である。
【０１０２】
本発明のデジタルカメラとして、一眼フレックスカメラを説明しているが、コンパクトカメラ、カメラ機能を備えた携帯電話機、コンピュータに搭載、又は接続されたカメラなどにも、本発明を用いることができる。
【符号の説明】
【０１０３】
１０…デジタルカメラ、１８…撮像素子、２７…圧縮／伸長回路、３６…画像処理回路、４０…ＣＰＵ、４１…不揮発性メモリ、４２…ワークメモリ、４７…トリミング部、５１…顔検出部、５２…領域設定部、５３…データ比較部、５４…焦点制御部
【図１】
2013134403.tif 000003
【図２】
2013134403.tif 000004
【図３】
2013134403.tif 000005
【図４】
2013134403.tif 000006
【図５】
2013134403.tif 000007
【図６】
2013134403.tif 000008
【図７】
2013134403.tif 000009
【図８】
2013134403.tif 000010